(57)【要約】      （修正有）【課題】周波数帯の異なるＲＦＩＤタグに対して適切なデータ通信を行うことが可能なリライタブルプリンタを提供する。【解決手段】給紙口側に配され、感熱記録媒体Ｍの印刷層に印刷された画像を消去する消去部３と、排紙口側に配され、印刷層に画像を印刷する印刷部４と、感熱記録媒体Ｍを載置し得る載置部６１を有し、消去部３と印刷部４との間の搬送経路上で載置部６１を運搬する運搬機構６と、感熱記録媒体Ｍに内蔵されるＲＦＩＤタグとデータ通信を行う第１リーダライタ７と、第１リーダライタ７とは異なる周波数帯に対応する第２リーダライタ８とを備え、第１リーダライタ７と第２リーダライタ８とを搬送経路に沿って離間して設けた。【選択図】図４
2010231545.tif 000002
【特許請求の範囲】
【請求項１】
ＲＦＩＤタグを付帯し、且つ熱可逆的に発色及び消色可能な印刷層を有する感熱記録媒体に対して、前記印刷層への画像の印刷及び前記印刷層に印刷された画像の消去を行うリライタブルプリンタであって、
給紙口側に配され、前記印刷層に印刷された画像を消去する消去部と、
排紙口側に配され、前記印刷層に画像を印刷する印刷部と、
前記消去部及び前記印刷部を相互に高さ位置を異ならせて設け、
前記感熱記録媒体を載置し得る載置部を有し、前記消去部と前記印刷部との間の搬送経路上で当該載置部を上下移動させ運搬する運搬機構と、
ＲＦＩＤタグとデータ通信を行う第１リーダライタと、
当該第１リーダライタとは、異なる周波数帯に対応してＲＦＩＤタグとデータ通信を行う第２リーダライタとを具備し、
前記第１リーダライタ及び前記第２リーダライタが、前記載置部の可動範囲を高さ方向に挟む位置に相互に離間して設けられたものであることを特徴とするリライタブルプリンタ。
【請求項２】
前記第１リーダライタ及び第２リーダライタを、前記載置部に載置された状態の前記感熱記録媒体が、前記運搬機構により前記搬送経路上を移動する際に干渉しない位置に設けている請求項１に記載のリライタブルプリンタ。
【請求項３】
前記第１リーダライタ又は第２リーダライタのうち相対的に前記載置部の下方に設けられるリーダライタを、前記載置部の底面に配置している請求項１又は２の何れかに記載リライタブルプリンタ。
【発明の詳細な説明】
【技術分野】
【０００１】
本発明は、熱可逆的に発色及び消色可能な印刷層を有する感熱記録媒体に対して、印刷層への画像の印刷及び印刷層に印刷された画像の消去を行うリライタブルプリンタに関するものである。
【背景技術】
【０００２】
近時、同じ印刷対象物に対して印刷処理及び消去処理を繰り返し行うことによって紙等の印刷対象物の使用量を削減することが可能なプリンタとして、熱可逆的に発色及び消色する印刷層を有する例えばシート状の感熱記録媒体に対して、印刷層への画像の印刷及び印刷層に印刷された画像の消去を行うリライタブルプリンタが注目されている。
【０００３】
この種の感熱記録媒体には、感熱記録媒体に関するデータ、例えば、印刷層の画像が消去されているか否か、消去された印刷層に次に印刷する画像が何であるか、画像の更新履歴、或いは書き換え回数等のデータを管理できるように、各感熱記録媒体にＲＦＩＤ（Ｒａｄｉｏ  Ｆｒｅｑｕｅｎｃｙ  Ｉｄｅｎｔｉｆｉｃａｔｉｏｎ）タグを埋め込み又は貼り付けたものが考えられおり、このようなＲＦＩＤタグ付きの感熱記録媒体に対して、プリンタ内の搬送経路上に設けた単一のリーダライタにより、ＲＦＩＤタグに対してデータの読み出し又は書き込みを行うことができるようにしたリライタブルプリンタが考えられている（特許文献１参照）。
【先行技術文献】
【特許文献】
【０００４】
【特許文献１】特開２００６−１５０７６５号公報
【発明の概要】
【発明が解決しようとする課題】
【０００５】
ところで、ＲＦＩＤタグに関しては、これまで開放されていたＨＦ帯に加えて２００５年からＵＨＦ帯の電波が開放されている。いうまでもなく、ＲＦＩＤタグに対してデータ通信可能なリーダライタはそのＲＦＩＤタグと同じ周波数帯に対応可能なものでなければならない。
【０００６】
しかしながら、従来のリライタブルプリンタは、単一のリーダライタを備えたものであるため、そのリーダライタによって、ＨＦ帯又はＵＨＦ帯の何れか一方の周波数帯のＲＦＩＤに対してはデータ通信を行えるが、他方の周波数帯のＲＦＩＤタグに対しては適切なデータ通信を行うことができないという問題があった。このような問題を解決するためには、結局のところ、ＨＦ帯に対応可能なリーダライタを備えたリライタブルプリンタと、ＵＨＦ帯に対応可能なリーダライタを備えたリライタブルプリンタとをそれぞれ個別に用意しなければならず、導入時のコストの負担が大きかった。
【０００７】
本発明は、このような課題に着目してなされたものであって、主たる目的は、周波数帯の異なるＲＦＩＤに対してもデータの読み出し又は書き出しを適切に行うことが可能なリライタブルプリンタを提供することにある。
【課題を解決するための手段】
【０００８】
すなわち本発明のリライタブルプリンタは、ＲＦＩＤタグを付帯し、且つ熱可逆的に発色及び消色可能な印刷層を有する感熱記録媒体に対して、印刷層への画像の印刷及び印刷層に印刷された画像の消去を行うリライタブルプリンタであって、給紙口側に配され、印刷層に印刷された画像を消去する消去部と、排紙口側に配され、印刷層に画像を印刷する印刷部と、消去部及び前記印刷部を相互に高さ位置を異ならせて設けたものであり、さらに、感熱記録媒体を載置し得る載置部を有し且つ消去部と印刷部との間の搬送経路上で載置部を上下方向に移動させて運搬する運搬機構と、ＲＦＩＤタグとデータ通信を行う第１リーダライタと、第１リーダライタとは異なる周波数帯に対応してＲＦＩＤタグとデータ通信を行う第２リーダライタとを備え、第１リーダライタ及び第２リーダライタが、載置部の可動範囲を高さ方向に挟む位置に離間して設けていることを特徴とする。
【０００９】
ここで、「画像」とは、感熱記録媒体の印刷層に印刷可能な写真やイラスト、図形に加えて、文字や記号も含む概念である。また、「データ」とは、印刷層の画像が消去されているか否か、消去された印刷層に次に印刷する画像が何であるか、画像の更新履歴、或いは書き換え回数等、ＲＦＩＤタグ自体又はＲＦＩＤタグを付帯した感熱記録媒体に関する情報であり、「画像」と区別するために「データ」という用語を用いる。
【００１０】
このようなものであれば、少なくとも異なる２種の周波数帯のＲＦＩＤタグのうち、一方の周波数帯のＲＦＩＤタグは第１リーダライタとデータ通信を行うことが可能であり、他方の周波数帯のＲＦＩＤタグは第２リーダライタとデータ通信を行うことが可能であり、従来のように、それぞれ異なる周波数帯に対応可能なリーダライタを有するリライタブルプリンタを複数台（例えば２台）用意する必要がなく、導入時のコスト負担を軽減することができる。さらに、本発明のリライタブルプリンタは、消去部及び印刷部を相互に高さ位置を異ならせて設け、運搬機構が、載置部を上下移動させるものであるため、リライタブルプリンタの設置面積を小さく抑え、プリンタの大型化を防止することができる。そして、第１リーダライタ及び第２リーダライタを、載置部の可動範囲を高さ方向に挟む位置に相互に離間して設けることにより、運搬機構によって搬送経路上を高さ方向に移動する感熱記録媒体が第１リーダライタと第２リーダライタとに順次近接することになり、その搬送過程で、感熱記録媒体のＲＦＩＤタグが周波数帯に応じて第１リーダライタ又は第２リーダライタの何れか一方と確実にデータ通信を行うことができる。なお、本発明においては、少なくとも２つの異なる周波数帯に対応するリーダライタを有していればよく、第１リーダライタ、第２リーダライタとはさらに異なる周波数帯に対応した別のリーダライタを設けることを妨げるものではない。
【００１１】
特に、本発明のリライタブルプリンタでは、第１リーダライタ及び第２リーダライタを、載置部に載置された状態の感熱記録媒体が、運搬機構により搬送経路上を移動する際に干渉しない位置に設けているため、第１リーダライタ及び第２リーダライタと感熱記録媒体との干渉を防止して適切なデータ通信を行うことができる。
【００１２】
また、リライタブルプリンタの載置部に載置された感熱記録媒体のＲＦＩＤタグと、載置部の底面に配置したリーダライタとの距離が適切な通信距離になる場合であれば、第１リーダライタ又は第２リーダライタのうち相対的に載置部の下方に設けられるリーダライタを、載置部の底面に配置すればよい。このような態様であれば、感熱記録媒体が載置部に載置された時点から載置部の底面に配置した一方のリーダライタとＲＦＩＤタグとの適切なデータ通信を行わせることができる。
【発明の効果】
【００１３】
本発明のリライタブルプリンタによれば、それぞれ異なる周波数帯に対応可能なリーダライタを有するリライタブルプリンタを複数台（例えば２台）用意することなく、周波数帯の異なるＲＦＩＤに対して適切なデータの読み出し又は書き出しを行うことができ、周波数帯が異なるＲＦＩＤタグを付帯した種々の感熱記録媒体にも対応できる。
【図面の簡単な説明】
【００１４】
【図１】本発明の一実施形態に係るリライタブルプリンタの全体概略図。
【図２】同実施形態における感熱記録媒体の平面図を模式的に示す図。
【図３】同実施形態における感熱記録媒体の側面図を模式的に示す図。
【図４】同実施形態に係るリライタブルプリンタの簡略図。
【発明を実施するための形態】
【００１５】
以下、本発明の一実施形態を、図面を参照して説明する。
【００１６】
本実施形態に係るリライタブルプリンタ１は、ＲＦＩＤタグＭａを付帯し、且つ熱可逆的に発色及び消色可能な印刷層Ｍｂを有する感熱記録媒体Ｍに対して、印刷層Ｍｂへの画像の印刷及び印刷層Ｍｂに印刷された画像の消去を行うものである。本実施形態において、「画像」とは、写真やイラスト、図形に加えて、文字や記号も含む概念である。
【００１７】
感熱記録媒体Ｍは、図２及び図３（図２、図３はそれぞれ感熱記録媒体Ｍの平面図、側面図を模式的に示す図である）に示すように、基材たるベース層Ｍｃと、印刷層Ｍｂと、これらベース層Ｍｃと印刷層Ｍｂとの間に挟み込んだＲＦＩＤタグＭａとを備えたシート状の積層体である。ベース層Ｍｃ及び印刷層Ｍｂは、例えばＡ３やＡ４等の用紙サイズに裁断されたものであり、これらベース層Ｍｃ及び印刷層Ｍｂをシート本体と捉えた場合、感熱記録媒体ＭはＲＦＩＤタグＭａをシート本体に内蔵したものといえる。
【００１８】
印刷層Ｍｂは、例えば主としてロイコ染料と可逆顕色剤とを用いてなり、加熱温度や加熱後の冷却速度の相違によって発色状態と消色状態とに切り替わるものである。
【００１９】
ＲＦＩＤタグＭａは、例えばコイル状の導電性材料からなり外部と交信可能なアンテナと、アンテナに接続され、固有の識別子を有するＩＣチップとを備え、アンテナを介して後述するリーダライタと非接触状態にてＩＣチップ（より具体的にはＩＣチップ内のメモリ）にデータの書き込みや読み出し、書き換えが可能なものである。
【００２０】
リライタブルプリンタ１は、図１及び図４に示すように、給紙口２１を有する給紙部２と、給紙口２１から挿入される感熱記録媒体Ｍの印刷層Ｍｂに印刷された画像を消去する消去部３と、消去部３を通過した感熱記録媒体Ｍの印刷層Ｍｂに画像を印刷する印刷部４と、印刷部４を通過した感熱記録媒体Ｍを外部へ排出するための排出口５１を有する排紙部５とを備えたものである。
【００２１】
給紙部２は、印刷層Ｍｂに画像を印刷した感熱記録媒体Ｍを複数枚重ねて載置可能な給紙トレイ２２と、給紙トレイ２２に載置された感熱記録媒体Ｍを１枚ずつ順次消去部３に向かって送り出す送りローラとを備えたものである。
【００２２】
消去部３は、感熱記録媒体Ｍの印刷層Ｍｂを加熱する消去ヘッド３１と、消去ヘッド３１に対向配置された消去用プラテンローラ３２とを備えたものである。
【００２３】
印刷部４は、感熱記録媒体Ｍの印刷層Ｍｂを加熱する印刷ヘッド４１と、印刷ヘッド４１に対向配置された印刷用プラテンローラ４２とを備えたものである。本実施形態では、消去ヘッド３１及び印刷ヘッド４１として、それぞれサーマルヘッドを適用している。
【００２４】
本実施形態のリライタブルプリンタ１は、印刷部４を消去部３の上方に配置しており、消去部３を通過した感熱記録媒体Ｍは運搬機構６により印刷部４に搬送される。
【００２５】
運搬機構６は、感熱記録媒体Ｍを載置し得る載置部６１と、この載置部６１を消去部３と印刷部４との間の搬送経路上で昇降移動させるリフト部６２とを備えたものである。載置部６１は、トレイ状をなし、リンクメンバ６２１等から構成されるリフト部６２によって水平姿勢を保持したまま最下降位置（Ｕ）と最上昇位置（Ｔ）との間で高さ方向に移動可能なものである。
【００２６】
そして、本実施形態に係るリライタブルプリンタ１は、図４に示すように、消去部３と印刷部４との間の搬送経路上に沿って、感熱記録媒体ＭのＲＦＩＤタグＭａに対してデータの読み出し及び書き込みを行う第１リーダライタ７と、第１リーダライタ７とは異なる周波数帯に対応する第２リーダライタ８とを相互に離間して設けている。本実施形態では、最下降位置（Ｕ）に位置付けた載置部６１の近傍であってこの載置部６１よりもさらに下方に第１リーダライタ７を設けるとともに、最上昇位置（Ｔ）に位置付けた載置部６１の近傍であってこの載置部６１よりもさらに上方に第２リーダライタ８を設けている。つまり、これら第１リーダライタ７及び第２リーダライタ８は、載置部６１の可動範囲を高さ方向に挟む位置に相互に離間して設けられている。第１リーダライタ７はＨＦ帯に対応するものであり、第２リーダライタ８はＵＨＦ帯に対応するものである。
【００２７】
したがって、感熱記録媒体ＭのＲＦＩＤタグＭａがＨＦ帯のものである場合には、第１リーダライタ７とデータ通信を行う一方、ＲＦＩＤタグＭａがＵＨＦ帯のものである場合には、第２リーダライタ８とデータ通信を行う。ここで「データ通信を行う」とは、リーダライタからＲＦＩＤタグＭａにデータが書き込まれる、又はＲＦＩＤタグＭａに書き込まれているデータがリーダライタにて読み出される、これらのうち少なくとも何れか一方を行うことを意味する。もちろん、「データ通信を行う」には、ＲＦＩＤタグＭａへの書き込み、及びＲＦＩＤタグＭａからの読み出しの両方を行うことや、書き込み及び読み出しを複数回繰り返して行うことも含まれる。なお、本実施形態における「データ」とは、印刷層Ｍｂの画像が消去されているか否か、消去された印刷層Ｍｂに次に印刷する画像が何であるか、画像の更新履歴、或いは書き換え回数等、ＲＦＩＤタグＭａ自体又はＲＦＩＤタグＭａを付帯した感熱記録媒体Ｍに関する情報等の何れか又は当該画像に関連する情報等を意味する。
【００２８】
上述した各部のうち、消去部３、運搬機構６、第１リーダライタ７、第２リーダライタ８、及び印刷部４は筐体９内に配置されている。
【００２９】
次に、本実施形態に係るリライタブルプリンタ１の操作手順、動作及び作用について説明する。
【００３０】
先ず、印刷層Ｍｂに画像が印刷され発色状態にある感熱記録媒体Ｍを給紙部２の給紙トレイ２２にセットする。次いで、給紙口２１から消去部３に搬送された感熱記録媒体Ｍを消去用プラテンローラ３２で押圧支持し、消去ヘッド３１により印刷層Ｍｂを加熱し、徐冷することにより印刷層Ｍｂの画像は消去される。引き続き、消去部３を通過して印刷層Ｍｂの画像が消去された消去状態にある感熱記録媒体Ｍは、図示しない送りローラで消去部３と印刷部４との間の搬送経路上に送られ、最下降位置（Ｕ）に位置付けた載置部６１に水平姿勢で載置される。感熱記録媒体ＭのＲＦＩＤタグＭａがＨＦ帯のものであれば、最下降位置（Ｕ）に位置付けた載置部６１に載置した時点で第１リーダライタ７と最も近接し、この第１リーダライタ７とデータ通信を行う。そして、搬送機構のリフト部６２により載置部６１が水平姿勢のまま上方へ移動する。載置部６１が最上昇位置（Ｔ）に到達した時点で、感熱記録媒体ＭのＲＦＩＤタグＭａは第２リーダライタ８に近接する。したがって、感熱記録媒体ＭのＲＦＩＤタグＭａがＵＨＦ帯のものであれば、載置部６１が最上昇位置（Ｔ）に到達した時点で第２リーダライタ８とデータ通信を行う。
【００３１】
なお、同じ周波数帯のＲＦＩＤタグＭａであってもＲＦＩＤタグ全体の形状、換言すればインレットの形状が異なれば、リーダライタ（第１リーダライタ７、第２リーダライタ８）との最適な通信距離も異なる。しかしながら、本実施形態では、運搬機構６のリフト部６２によって載置部６１が高さ方向に移動し、この載置部６１に載置した感熱記録媒体ＭのＲＦＩＤタグＭａとリーダライタ（第１リーダライタ７、第２リーダライタ８）との相対距離を変更する過程で、ＲＦＩＤタグＭａとリーダライタ（第１リーダライタ７、第２リーダライタ８）との適切な通信距離を検出し、その検出位置で載置部６１を一時的に停止させて、ＲＦＩＤタグＭａに対してデータ通信を行うようにしている。つまり、運搬機構６が、載置部６１に載置した感熱記録媒体ＭのＲＦＩＤタグＭａと第１リーダライタ７又は第２リーダライタ８との相対距離を変更することによってＲＦＩＤタグＭａと第１リーダライタ７又は第２リーダライタ８との通信距離を調整する「調整機構Ｘ」としても機能している。本実施形態のリライタブルプリンタ１は、感熱記録媒体Ｍに付帯させたＲＦＩＤタグＭａを水平姿勢に保持したまま、垂直方向に離間して設けた第１リーダライタ７及び第２リーダライタ８に接離させることにより、第１リーダライタ７又は第２リーダライタ８がＲＦＩＤタグＭａに対して垂直方向からデータの読み出し及び書き込みを行えるようにしている。
【００３２】
載置部６１が最上昇位置（Ｔ）に到達した後、感熱記録媒体Ｍは、図示しない送りローラで印刷部４に搬送され、印刷用プラテンローラ４２に押圧支持された状態で、印刷ヘッド４１により印刷層Ｍｂを加熱し、急冷することにより、感熱記録媒体Ｍの印刷層Ｍｂに画像が印刷され、感熱記録媒体Ｍはその画像が目視可能な状態に発色した発色状態となる。印刷層Ｍｂに印刷される画像は、第１リーダライタ７又は第２リーダライタ８とＲＦＩＤタグＭａとのデータ通信によりＲＦＩＤタグＭａに書き込まれたデータに基づく画像、又は予めユーザによって入力された画像である。
【００３３】
印刷部４を通過して発色状態にある感熱記録媒体Ｍは、図示しない送りローラで排紙部５の排紙口から外部へ排出され、排紙部５の排紙トレイに積み重ねられる。
【００３４】
このように、本実施形態に係るリライタブルプリンタ１は、ＲＦＩＤタグＭａとデータ通信を行う第１リーダライタ７と、第１リーダライタ７とは異なる周波数帯に対応する第２リーダライタ８とを備えているため、異なる２種の周波数帯のＲＦＩＤタグＭａのうち、一方の周波数帯のＲＦＩＤタグＭａは第１リーダライタ７とデータ通信を行うことが可能であり、他方の周波数帯のＲＦＩＤタグＭａは第２リーダライタ８とデータ通信を行うことが可能であり、従来のように、それぞれ異なる周波数帯に対応可能なリーダライタを有するリライタブルプリンタを複数台（例えば２台）用意する必要がなく、単一のリライタブルプリンタ１でありながら、周波数帯が異なるＲＦＩＤタグＭａを付帯した感熱記録媒体Ｍに対応できる。さらに、第１リーダライタ７と第２リーダライタ８とを搬送経路に沿って離間して設けているため、運搬機構６により搬送経路上を移動する感熱記録媒体Ｍが第１リーダライタ７と第２リーダライタ８とに順次近接することになり、その搬送過程で、感熱記録媒体ＭのＲＦＩＤタグＭａが周波数帯に応じて何れか一方のリーダライタ（第１リーダライタ７又は第２リーダライタ８）と確実にデータ通信を行うことができる。
【００３５】
特に、本実施形態に係るリライタブルプリンタ１は、消去部３及び印刷部４を相互に高さ位置を異ならせて設け、運搬機構６の載置部６１を上下移動させる構成としているため、リライタブルプリンタ１の設置面積を小さく抑え、リライタブルプリンタ１の大型化を防止することができるとともに、第１リーダライタ７及び第２リーダライタ８を、載置部６１の可動範囲を高さ方向に挟む位置に相互に離間して設けているため、このような運搬機構６により搬送経路上を高さ方向に移動する感熱記録媒体Ｍを第１リーダライタ７と第２リーダライタ８とに順次近接させることができ、リーダライタ（第１リーダライタ７、第２リーダライタ８）を感熱記録媒体Ｍに可動させる機構が不要となり、構造の簡素化が図られている。
【００３６】
また、本実施形態に係るリライタブルプリンタ１は、第１リーダライタ７及び第２リーダライタ８を、載置部６１に載置された状態で運搬機構６により搬送経路上を移動する感熱記録媒体Ｍと干渉しない位置に設けることによって、運搬機構６のスムーズ且つ安定した動作を確保しつつ、第１リーダライタ７又は第２リーダライタ８と感熱記録媒体Ｍとの干渉を防止して適切なデータ通信を行うことができる。
【００３７】
また、感熱記録媒体Ｍを載置部６１に載置した状態で運搬機構６によって消去部３から印刷部４へ搬送する過程で、ＲＦＩＤタグＭａと第１リーダライタ７又は第２リーダライタ８との通信距離を調整することにより、ＲＦＩＤタグＭａ全体（インレット）の形状が異なる場合であっても、各ＲＦＩＤタグＭａと第１リーダライタ７又は第２リーダライタ８との適正な通信距離を調整することができ、インレット形状の異なるＲＦＩＤに対しても適切なデータ通信を行うことができる。
【００３８】
なお、本発明は上述した実施形態に限定されるものではない。例えば、第１リーダライタと第２リーダライタのうち相対的に載置部の下方に設けられるリーダライタを載置部の底面に配置してもよい。この場合、載置部に載置された感熱記録媒体のＲＦＩＤタグと、載置部の底面に配置したリーダライタとの距離が適切な通信距離であることが条件となる。このような態様であれば、感熱記録媒体が載置部に載置された時点から載置部の底面に配置した一方のリーダライタとＲＦＩＤタグとの適切なデータ通信を行わせることができる。なお、ＲＦＩＤタグの周波数帯が載置部の底面に配置した一方のリーダライタの周波数帯と異なる場合には、そのＲＦＩＤタグは、載置部の上方への移動に伴って他方のリーダライタと近接し、この他方のリーダライタとの間でデータ通信を行う。
【００３９】
また、上述した実施形態では、ＨＦ帯対応のリーダライタを相対的に下方に配置し、ＵＨＦ帯対応のリーダライタを相対的に上方に配置したが、これらリーダライタの配置関係を逆に設定しても勿論構わない。
【００４０】
将来的にＲＦＩＤタグの利用に解放される周波数帯がさらに増加する場合には、各周波数帯に対応するリーダライタ（第１リーダライタ、第２リーダライタ、第３リーダライタ、第４リーダライタ…）を搬送経路に沿って離間して設ければよい。
【００４１】
感熱記録媒体は、シート状のものに限らず、カード状のものであってもよく、また、ＲＦＩＤタグ内蔵型に代えてＲＦＩＤタグを貼り付けたものであっても構わない。ＲＦＩＤタグを付帯しない感熱記録媒体であってもよい。
【００４２】
その他、各部の具体的構成についても上記実施形態に限られるものではなく、本発明の趣旨を逸脱しない範囲で種々変形が可能である。
【符号の説明】
【００４３】
１…リライタブルプリンタ
３…消去部
４…印刷部
６…運搬機構
６１…載置部
７…第１リーダライタ
８…第２リーダライタ
Ｍ…感熱記録媒体
Ｍａ…ＲＦＩＤタグ
Ｍｂ…印刷層
【図１】
2010231545.tif 000003
【図２】
2010231545.tif 000004
【図３】
2010231545.tif 000005
【図４】
2010231545.tif 000006